(57)【要約】【課題】 新型の電力配電箱装置を提供する。【解決手段】新型の電力配電箱装置は主台座と前記主台座と接続する配電箱を含み、前記主台座の頂部端面にセット筐体が設置され、前記セット筐体の左右側にゴムパッドが張り合わせ設置され、前記セット筐体の底壁に第一滑り筐体が設置され、前記第一滑り筐体に第一滑り台がスライドに合わせて取り付けられ、前記第一滑り筐体の左右の両側の壁に第一ラックが設置される。【選択図】図3
2019134655.tif 000002
【特許請求の範囲】
【請求項１】
電力配電箱装置であって、主台座と前記主台座と接続する配電箱を含み、前記主台座の頂部端面にセット筐体が設置され、前記セット筐体の左右側にゴムパッドが張り合わせて設置され、前記セット筐体の底壁に第一滑り筐体が設置され、前記第一滑り筐体に第一滑り台がスライドに合わせて取り付けられ、前記第一滑り筐体の左右の両側の壁に第一ラックが設置され、前記第一滑り台の頂部端面に左右に対応する上下に拡張する第二滑り筐体が設置され、前記第二滑り筐体に頂部が前記セット筐体を通り抜ける滑り軸がスライドに合わせて取り付けられ、前記滑り軸の頂部に光電装置が取り付けられ、前記滑り軸の内側端面に第二ラックが設置され、左右両側の前記第二滑り筐体の間にそれぞれ第一伝達筐体が設置され、前記第一伝達筐体の下側の前記第一滑り台の内壁体に第二伝達筐体が設置され、前記第一伝達筐体の左右両側が対応し前記第二ラックと相互に噛み合う第一ラックが回転可能に合わせて設置され、左右両側の前記第一ラックがそれぞれ前記第一伝達筐体に回転可能に合わせて設置される第一角錐輪と相互に噛み合い、前記第一角錐輪の前側端に第二角錐輪が相互に噛み合うように設置され、前記第二角錐輪の底部端面に第一回転軸が固定的に取り付けられ、前記第一回転軸が前記第一伝達筐体の内底壁と回転可能に合わせて接続され底部拡張末端が前記第二伝達筐体を通り抜けて、前記第一回転軸の底部端面に第一スプライン内穴が設置され、前記第二伝達筐体に第二滑り台がスライドに合わせて取り付けられ、前記第二滑り台に第一電気ローラーが固定的に取り付けられ、前記第一電気ローラーの先端に前記第一スプライン内穴と合わせて接続する第一スプライン軸が動力が伝達可能なように合わせて設置され、前記第一電気ローラーの底部に第二スプライン軸が動力が伝達可能なように合わせて設置され、前記第一電気ローラーの右側の前記第二滑り台にねじ軸がねじで合わせて取り付けられ、前記ねじ軸の頂部拡張末端が前記第二伝達筐体の内頂壁と回転可能に合わせて接続され、前記ねじ軸の底部拡張末端に第二電気ローラーが動力が伝達可能なように合わせて取り付けられ、前記第二電気ローラーの外表面が第二伝達筐体の内底壁に固定的に設置され、前記第二スプライン軸の直下側の前記第二伝達筐体の内底壁に第二回転軸が回転可能に合わせて設置され、前記第二回転軸の頂部端面に前記第二スプライン軸と合わせて接続される第二スプライン内穴が設置され、前記第二回転軸の底部拡張末端が前記第一滑り台の内壁体の第三伝達筐体を通り抜けて、前記第三伝達筐体が前記第一滑り台の左右両側の端面を貫通し、前記第二回転軸の底部拡張末端に第三角錐輪が固定的に取り付けられ、前記第三角錐輪に伝達装置が動力が伝達可能なように合わせて取り付けられ、前記伝達装置は前記第三伝達筐体に回転可能に合わせて設置されて前記第三角錐輪と相互に噛み合う第四角錐輪を含み、前記第四角錐輪の左右両側にそれぞれ第二ギアが回転可能に合わせて設置され、前記第二ギアの後側にそれぞれ第三ギアが回転可能に合わせて設置され、左側の前記第三ギアが左側の前記第一ラックと相互に噛み合い、右側の前記第三ギアに第四ギアが相互に噛み合うように設置され、前記第四ギアの右側が右側の前記第一ラックと相互に噛み合い、前記光電装置は左右両側の前記滑り軸の頂部端面に固定的に取り付けられるヒンジアームと前記ヒンジアームの上側に設置される積合板を含み、前記積合板の底部端面が左側の前記ヒンジアームと固定的に接続され、前記積合板の底部端面に左右に拡張しアリ溝が設置され、前記アリ溝にアリブロックがスライドに合わせて取り付けられ、前記アリブロックの底部端面が右側の前記ヒンジアームと固定的に接続され、前記積合板の頂部端面に光電板が固定的に取り付けられることを特徴とする電力配電箱装置。
【発明の詳細な説明】
【技術分野】
【０００１】
本発明は、電力設備領域に関し、具体的には新型の電力配電箱に関する。
【背景技術】
【０００２】
配電箱は電力電気器具部品を積載する器具で、現在は配電箱の中の引込み線は通常では直接に送電網或いは太陽光発電設備と接続し、しかし既存の太陽光発電設備は自動的に角度調節を制御することと収容動作を実現できない。
【先行技術文献】
【特許文献】
【０００３】
【特許文献１】中国実用新案第201805041号明細書
【特許文献２】中国特許出願公開第106129846号明細書
【発明の概要】
【発明が解決しようとする課題】
【０００４】
本発明の目的は、新型の電力配電箱装置を提供することにあり、既存の技術の上記の欠陥を乗り越えることに用いる。
【０００５】
新型の電力配電箱装置は主台座と前記主台座と接続する配電箱を含み、前記主台座の頂部端面にセット筐体が設置され、前記セット筐体の左右側にゴムパッドが張り合わせ設置され、前記セット筐体の底壁に第一滑り筐体が設置され、前記第一滑り筐体に第一滑り台がスライドに合わせて取り付けられ、前記第一滑り筐体の左右の両側の壁に第一ラックが設置され、前記第一滑り台の頂部端面に左右に対応する上下に拡張する第二滑り筐体が設置され、前記第二滑り筐体に頂部が前記セット筐体を通り抜ける滑り軸がスライドに合わせて取り付けられ、前記滑り軸の頂部に光電装置が取り付けられ、前記滑り軸の内側端面に第二ラックが設置され、左右両側の前記第二滑り筐体の間にそれぞれ第一伝達筐体が設置され、前記第一伝達筐体の下側の前記第一滑り台の内壁体に第二伝達筐体が設置され、前記第一伝達筐体の左右両側に対応し前記第二ラックと相互に噛み合う第一ラックが回転可能に合わせて設置され、左右両側の前記第一ラックがそれぞれ前記第一伝達筐体に回転可能に合わせて設置される第一角錐輪と相互に噛み合い、前記第一角錐輪の前側端に第二角錐輪が相互に噛み合うように設置され、前記第二角錐輪の底部端面に第一回転軸が固定的に取り付けられ、前記第一回転軸が前記第一伝達筐体の内底壁と回転可能に合わせて接続され底部拡張末端が前記第二伝達筐体を通り抜けて、前記第一回転軸の底部端面に第一スプライン内穴が設置され、前記第二伝達筐体に第二滑り台がスライドに合わせて取り付けられ、前記第二滑り台に第一電気ローラーが固定的に取り付けられ、前記第一電気ローラーの先端に前記第一スプライン内穴と合わせて接続する第一スプライン軸が動力が伝達可能なように合わせて設置され、前記第一電気ローラーの底部に第二スプライン軸が動力が伝達可能なように合わせて設置され、前記第一電気ローラーの右側の前記第二滑り台にねじ軸がねじで合わせて取り付けられ、前記ねじ軸の頂部拡張末端が前記第二伝達筐体の内頂壁と回転可能に合わせて接続され、前記ねじ軸の底部拡張末端に第二電気ローラーが動力が伝達可能なように合わせて取り付けられ、前記第二電気ローラーの外表面が第二伝達筐体の内底壁に固定的に設置され、前記第二スプライン軸の直下側の前記第二伝達筐体の内底壁に第二回転軸が回転可能に合わせて設置され、前記第二回転軸の頂部端面に前記第二スプライン軸と合わせて接続される第二スプライン内穴が設置され、前記第二回転軸の底部拡張末端が前記第一滑り台の内壁体の第三伝達筐体を通り抜けて、前記第三伝達筐体が前記第一滑り台の左右両側の端面を貫通し、前記第二回転軸の底部拡張末端に第三角錐輪が固定的に取り付けられ、前記第三角錐輪に伝達装置が動力が伝達可能なように合わせて取り付けられる。
【０００６】
有益なことは、前記伝達装置は前記第三伝達筐体に回転可能に合わせて設置されて前記第三角錐輪と相互に噛み合う第四角錐輪を含み、前記第四角錐輪の左右両側にそれぞれ第二ギアが回転可能に合わせて設置されて、前記第二ギアの後側にそれぞれ第三ギアが回転可能に合わせて設置されて、左側の前記第三ギアが左側の前記第一ラックと相互に噛み合い、右側の前記第三ギアに第四ギアが相互に噛み合うように設置され、前記第四ギアの右側が右側の前記第一ラックと相互に噛み合う。
【０００７】
有益なことは、前記光電装置は左右両側の前記滑り軸の頂部端面に固定的に取り付けられるヒンジアームと前記ヒンジアームの上側に設置される積合板を含み、前記積合板の底部端面が左側の前記ヒンジアームと固定的に接続され、前記積合板の底部端面に左右に拡張しアリ溝が設置され、前記アリ溝にアリブロックがスライドに合わせて取り付けられ、前記アリブロックの底部端面が右側の前記ヒンジアームと固定的に接続され、前記積合板の頂部端面に光電板が固定的に取り付けられる。
【０００８】
【発明の効果】
【０００９】
本発明の構造が簡単で、操作が便利で、光電装置の角度調節と収容動作を実現でき、太陽光吸収転化率を高めて耐用年数を延長する。
【図面の簡単な説明】
【００１０】
【図１】図1は本発明の新型電力配電箱装置の内部の全体構造概略図である。
【図２】図2は図1の中のA所の拡大構造概略図である。
【図３】図3は図1の中の俯瞰構造概略図である。
【発明を実施するための形態】
【００１１】
下記は図1-図3を交え本発明を詳しく説明する。
【００１２】
図１−図３のように、本発明の実施例に係る新型の電力配電箱装置は、主台座100と前記主台座100と接続する配電箱200を含み、前記主台座100の頂部端面にセット筐体110が設置され、前記セット筐体110の左右側にゴムパッド136が張り合わせ設置され、前記セット筐体110の底壁に第一滑り筐体115が設置され、前記第一滑り筐体115に第一滑り台112がスライドに合わせて取り付けられ、前記第一滑り筐体115の左右の両側の壁に第一ラック114が設置され、前記第一滑り台112の頂部端面に左右に対応する上下に拡張する第二滑り筐体135が設置され、前記第二滑り筐体135に頂部が前記セット筐体110を通り抜ける滑り軸111がスライドに合わせて取り付けられ、前記滑り軸111の頂部に光電装置が取り付けられ、前記滑り軸111の内側端面に第二ラック132が設置され、左右両側の前記第二滑り筐体135の間にそれぞれ第一伝達筐体134が設置され、前記第一伝達筐体134の下側の前記第一滑り台112の内壁体に第二伝達筐体163が設置され、前記第一伝達筐体134の左右両側が対応し前記第二ラック132と相互に噛み合う第一ラック133が回転可能に合わせて設置され、左右両側の前記第一ラック133がそれぞれ前記第一伝達筐体134に回転可能に合わせて設置される第一角錐輪113と相互に噛み合い、前記第一角錐輪113の前側端に第二角錐輪131が相互に噛み合うように設置され、前記第二角錐輪131の底部端面に第一回転軸156が固定的に取り付けられ、前記第一回転軸156が前記第一伝達筐体134の内底壁と回転可能に合わせて接続され底部拡張末端が前記第二伝達筐体163を通り抜けて、前記第一回転軸156の底部端面に第一スプライン内穴155が設置され、前記第二伝達筐体163に第二滑り台161がスライドに合わせて取り付けられ、前記第二滑り台161に第一電気ローラー154が固定的に取り付けられ、前記第一電気ローラー154の先端に前記第一スプライン内穴155と合わせて接続する第一スプライン軸157が動力が伝達可能なように合わせて設置され、前記第一電気ローラー154の底部に第二スプライン軸153が動力が伝達可能なように合わせて設置され、前記第一電気ローラー154の右側の前記第二滑り台161にねじ軸162がねじで合わせて取り付けられ、前記ねじ軸162の頂部拡張末端が前記第二伝達筐体163の内頂壁と回転可能に合わせて接続され、前記ねじ軸162の底部拡張末端に第二電気ローラー164が動力が伝達可能なように合わせて取り付けられ、前記第二電気ローラー164の外表面が第二伝達筐体163の内底壁に固定的に設置され、前記第二スプライン軸153の直下側の前記第二伝達筐体163の内底壁に第二回転軸151が回転可能に合わせて設置され、前記第二回転軸151の頂部端面に前記第二スプライン軸153と合わせて接続される第二スプライン内穴152が設置され、前記第二回転軸151の底部拡張末端が前記第一滑り台112の内壁体の第三伝達筐体122を通り抜けて、前記第三伝達筐体122が前記第一滑り台112の左右両側の端面を貫通し、前記第二回転軸151の底部拡張末端に第三角錐輪151が固定的に取り付けられ、前記第三角錐輪151に伝達装置が動力が伝達可能なように合わせて取り付けられる。
【００１３】
有益なことは前記伝達装置は前記第三伝達筐体122に回転可能に合わせて設置されて前記第三角錐輪151と相互に噛み合う第四角錐輪126を含み、前記第四角錐輪126の左右両側にそれぞれ第二ギア127が回転可能に合わせて設置されて、前記第二ギア127の後側にそれぞれ第三ギア123が回転可能に合わせて設置されて、左側の前記第三ギア123が左側の前記第一ラック114と相互に噛み合い、右側の前記第三ギア123に第四ギア121が相互に噛み合うように設置され、前記第四ギア121の右側が右側の前記第一ラック114と相互に噛み合い、これにより前記第一滑り台の昇降スライド作業を自動的に制御する。
【００１４】
有益なことは前記光電装置は左右両側の前記滑り軸111の頂部端面に固定的に取り付けられるヒンジアーム141と前記ヒンジアーム141の上側に設置される積合板142を含み、前記積合板142の底部端面が左側の前記ヒンジアーム141と固定的に接続され、前記積合板142の底部端面に左右に拡張しアリ溝145が設置され、前記アリ溝145にアリブロック144がスライドに合わせて取り付けられ、前記アリブロック144の底部端面が右側の前記ヒンジアーム141と固定的に接続され、前記積合板142の頂部端面に光電板143が固定的に取り付けられ、これにより光電板143の角度調整作業を実現する。
【００１５】
本発明の作業原理は、使用する時に、第二電気ローラー164を起動し第二滑り台161を連れて下にスライドし、第二スプライン軸153が完成に第二スプライン内穴152を通り抜けた後まで、第一電気ローラー154を起動し左側の第三ギア123と第四ギア121をそれぞれに回転させ、第一ラック114の作用を通じて、第一滑り台が上に昇って、つまり光電板143が上に昇って太陽光を吸収し、角度を調整する必要がある時、第二電気ローラー164を起動し第二滑り台161を連れて上にスライドし、第一スプライン軸157が完成に第一スプライン内穴155を通り抜けた後まで、第一電気ローラー154を起動し左右両側の滑り軸111を逆にスライドさせ、これにより光電板143の角度を調整する。
【００１６】
本領域の技術者は本発明の全体の意義と構想から離れないもとで、以上の実施例に各種の変型を行うことができ、それらは本発明の保護範囲の中にあり、本発明の保護方案は本発明の特許請求の範囲を基準とする。
【図１】
2019134655.tif 000003
【図２】
2019134655.tif 000004
【図３】
2019134655.tif 000005
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
電力配電箱装置であって、主台座と前記主台座と接続する配電箱を含み、前記主台座の頂部端面にセット筐体が設置され、前記セット筐体の左右側にゴムパッドが張り合わせて設置され、前記セット筐体の底壁に第一滑り筐体が設置され、前記第一滑り筐体に第一滑り台がスライドに合わせて取り付けられ、前記第一滑り筐体の左右の両側の壁に第一ラックが設置され、前記第一滑り台の頂部端面に左右に対応する上下に拡張する第二滑り筐体が設置され、前記第二滑り筐体に頂部が前記セット筐体を通り抜ける滑り軸がスライドに合わせて取り付けられ、前記滑り軸の頂部に光電装置が取り付けられ、前記滑り軸の内側端面に第二ラックが設置され、左右両側の前記第二滑り筐体の間にそれぞれ第一伝達筐体が設置され、前記第一伝達筐体の下側の前記第一滑り台の内壁体に第二伝達筐体が設置され、前記第一伝達筐体の左右両側が対応し前記第二ラックと相互に噛み合う第一ギアが回転可能に合わせて設置され、左右両側の前記第一ギアがそれぞれ前記第一伝達筐体に回転可能に合わせて設置される第一角錐輪と相互に噛み合い、前記第一角錐輪の前側端に第二角錐輪が相互に噛み合うように設置され、前記第二角錐輪の底部端面に第一回転軸が固定的に取り付けられ、前記第一回転軸が前記第一伝達筐体の内底壁と回転可能に合わせて接続され底部拡張末端が前記第二伝達筐体を通り抜けて、前記第一回転軸の底部端面に第一スプライン内穴が設置され、前記第二伝達筐体に第二滑り台がスライドに合わせて取り付けられ、前記第二滑り台に第一電気ローラーが固定的に取り付けられ、前記第一電気ローラーの先端に前記第一スプライン内穴と合わせて接続する第一スプライン軸が動力が伝達可能なように合わせて設置され、前記第一電気ローラーの底部に第二スプライン軸が動力が伝達可能なように合わせて設置され、前記第一電気ローラーの右側の前記第二滑り台にねじ軸がねじで合わせて取り付けられ、前記ねじ軸の頂部拡張末端が前記第二伝達筐体の内頂壁と回転可能に合わせて接続され、前記ねじ軸の底部拡張末端に第二電気ローラーが動力が伝達可能なように合わせて取り付けられ、前記第二電気ローラーの外表面が第二伝達筐体の内底壁に固定的に設置され、前記第二スプライン軸の直下側の前記第二伝達筐体の内底壁に第二回転軸が回転可能に合わせて設置され、前記第二回転軸の頂部端面に前記第二スプライン軸と合わせて接続される第二スプライン内穴が設置され、前記第二回転軸の底部拡張末端が前記第一滑り台の内壁体の第三伝達筐体を通り抜けて、前記第三伝達筐体が前記第一滑り台の左右両側の端面を貫通し、前記第二回転軸の底部拡張末端に第三角錐輪が固定的に取り付けられ、前記第三角錐輪に伝達装置が動力が伝達可能なように合わせて取り付けられ、前記伝達装置は前記第三伝達筐体に回転可能に合わせて設置されて前記第三角錐輪と相互に噛み合う第四角錐輪を含み、前記第四角錐輪の左右両側にそれぞれ第二ギアが回転可能に合わせて設置され、前記第二ギアの後側にそれぞれ第三ギアが回転可能に合わせて設置され、左側の前記第三ギアが左側の前記第一ラックと相互に噛み合い、右側の前記第三ギアに第四ギアが相互に噛み合うように設置され、前記第四ギアの右側が右側の前記第一ラックと相互に噛み合い、前記光電装置は左右両側の前記滑り軸の頂部端面に固定的に取り付けられるヒンジアームと前記ヒンジアームの上側に設置される積合板を含み、前記積合板の底部端面が左側の前記ヒンジアームと固定的に接続され、前記積合板の底部端面に左右に拡張しアリ溝が設置され、前記アリ溝にアリブロックがスライドに合わせて取り付けられ、前記アリブロックの底部端面が右側の前記ヒンジアームと固定的に接続され、前記積合板の頂部端面に光電板が固定的に取り付けられることを特徴とする電力配電箱装置。
【手続補正２】
【補正対象書類名】明細書
【補正対象項目名】全文
【補正方法】変更
【補正の内容】
【発明の詳細な説明】
【技術分野】
【０００１】
本発明は、電力設備領域に関し、具体的には新型の電力配電箱に関する。
【背景技術】
【０００２】
配電箱は電力電気器具部品を積載する器具で、現在は配電箱の中の引込み線は通常では直接に送電網或いは太陽光発電設備と接続し、しかし既存の太陽光発電設備は自動的に角度調節を制御することと収容動作を実現できない。
【先行技術文献】
【特許文献】
【０００３】
【特許文献１】中国実用新案第201805041号明細書
【特許文献２】中国特許出願公開第106129846号明細書
【発明の概要】
【発明が解決しようとする課題】
【０００４】
本発明の目的は、新型の電力配電箱装置を提供することにあり、既存の技術の上記の欠陥を乗り越えることに用いる。
【０００５】
新型の電力配電箱装置は主台座と前記主台座と接続する配電箱を含み、前記主台座の頂部端面にセット筐体が設置され、前記セット筐体の左右側にゴムパッドが張り合わせ設置され、前記セット筐体の底壁に第一滑り筐体が設置され、前記第一滑り筐体に第一滑り台がスライドに合わせて取り付けられ、前記第一滑り筐体の左右の両側の壁に第一ラックが設置され、前記第一滑り台の頂部端面に左右に対応する上下に拡張する第二滑り筐体が設置され、前記第二滑り筐体に頂部が前記セット筐体を通り抜ける滑り軸がスライドに合わせて取り付けられ、前記滑り軸の頂部に光電装置が取り付けられ、前記滑り軸の内側端面に第二ラックが設置され、左右両側の前記第二滑り筐体の間にそれぞれ第一伝達筐体が設置され、前記第一伝達筐体の下側の前記第一滑り台の内壁体に第二伝達筐体が設置され、前記第一伝達筐体の左右両側に対応し前記第二ラックと相互に噛み合う第一ギアが回転可能に合わせて設置され、左右両側の前記第一ギアがそれぞれ前記第一伝達筐体に回転可能に合わせて設置される第一角錐輪と相互に噛み合い、前記第一角錐輪の前側端に第二角錐輪が相互に噛み合うように設置され、前記第二角錐輪の底部端面に第一回転軸が固定的に取り付けられ、前記第一回転軸が前記第一伝達筐体の内底壁と回転可能に合わせて接続され底部拡張末端が前記第二伝達筐体を通り抜けて、前記第一回転軸の底部端面に第一スプライン内穴が設置され、前記第二伝達筐体に第二滑り台がスライドに合わせて取り付けられ、前記第二滑り台に第一電気ローラーが固定的に取り付けられ、前記第一電気ローラーの先端に前記第一スプライン内穴と合わせて接続する第一スプライン軸が動力が伝達可能なように合わせて設置され、前記第一電気ローラーの底部に第二スプライン軸が動力が伝達可能なように合わせて設置され、前記第一電気ローラーの右側の前記第二滑り台にねじ軸がねじで合わせて取り付けられ、前記ねじ軸の頂部拡張末端が前記第二伝達筐体の内頂壁と回転可能に合わせて接続され、前記ねじ軸の底部拡張末端に第二電気ローラーが動力が伝達可能なように合わせて取り付けられ、前記第二電気ローラーの外表面が第二伝達筐体の内底壁に固定的に設置され、前記第二スプライン軸の直下側の前記第二伝達筐体の内底壁に第二回転軸が回転可能に合わせて設置され、前記第二回転軸の頂部端面に前記第二スプライン軸と合わせて接続される第二スプライン内穴が設置され、前記第二回転軸の底部拡張末端が前記第一滑り台の内壁体の第三伝達筐体を通り抜けて、前記第三伝達筐体が前記第一滑り台の左右両側の端面を貫通し、前記第二回転軸の底部拡張末端に第三角錐輪が固定的に取り付けられ、前記第三角錐輪に伝達装置が動力が伝達可能なように合わせて取り付けられる。
【０００６】
有益なことは、前記伝達装置は前記第三伝達筐体に回転可能に合わせて設置されて前記第三角錐輪と相互に噛み合う第四角錐輪を含み、前記第四角錐輪の左右両側にそれぞれ第二ギアが回転可能に合わせて設置されて、前記第二ギアの後側にそれぞれ第三ギアが回転可能に合わせて設置されて、左側の前記第三ギアが左側の前記第一ラックと相互に噛み合い、右側の前記第三ギアに第四ギアが相互に噛み合うように設置され、前記第四ギアの右側が右側の前記第一ラックと相互に噛み合う。
【０００７】
有益なことは、前記光電装置は左右両側の前記滑り軸の頂部端面に固定的に取り付けられるヒンジアームと前記ヒンジアームの上側に設置される積合板を含み、前記積合板の底部端面が左側の前記ヒンジアームと固定的に接続され、前記積合板の底部端面に左右に拡張しアリ溝が設置され、前記アリ溝にアリブロックがスライドに合わせて取り付けられ、前記アリブロックの底部端面が右側の前記ヒンジアームと固定的に接続され、前記積合板の頂部端面に光電板が固定的に取り付けられる。
【０００８】
【発明の効果】
【０００９】
本発明の構造が簡単で、操作が便利で、光電装置の角度調節と収容動作を実現でき、太陽光吸収転化率を高めて耐用年数を延長する。
【図面の簡単な説明】
【００１０】
【図１】図1は本発明の新型電力配電箱装置の内部の全体構造概略図である。
【図２】図2は図1の中のA所の拡大構造概略図である。
【図３】図3は図1の中の俯瞰構造概略図である。
【発明を実施するための形態】
【００１１】
下記は図1-図3を交え本発明を詳しく説明する。
【００１２】
図１−図３のように、本発明の実施例に係る新型の電力配電箱装置は、主台座100と前記主台座100と接続する配電箱200を含み、前記主台座100の頂部端面にセット筐体110が設置され、前記セット筐体110の左右側にゴムパッド136が張り合わせ設置され、前記セット筐体110の底壁に第一滑り筐体115が設置され、前記第一滑り筐体115に第一滑り台112がスライドに合わせて取り付けられ、前記第一滑り筐体115の左右の両側の壁に第一ラック114が設置され、前記第一滑り台112の頂部端面に左右に対応する上下に拡張する第二滑り筐体135が設置され、前記第二滑り筐体135に頂部が前記セット筐体110を通り抜ける滑り軸111がスライドに合わせて取り付けられ、前記滑り軸111の頂部に光電装置が取り付けられ、前記滑り軸111の内側端面に第二ラック132が設置され、左右両側の前記第二滑り筐体135の間にそれぞれ第一伝達筐体134が設置され、前記第一伝達筐体134の下側の前記第一滑り台112の内壁体に第二伝達筐体163が設置され、前記第一伝達筐体134の左右両側が対応し前記第二ラック132と相互に噛み合う第一ギア133が回転可能に合わせて設置され、左右両側の前記第一ギア133がそれぞれ前記第一伝達筐体134に回転可能に合わせて設置される第一角錐輪113と相互に噛み合い、前記第一角錐輪113の前側端に第二角錐輪131が相互に噛み合うように設置され、前記第二角錐輪131の底部端面に第一回転軸156が固定的に取り付けられ、前記第一回転軸156が前記第一伝達筐体134の内底壁と回転可能に合わせて接続され底部拡張末端が前記第二伝達筐体163を通り抜けて、前記第一回転軸156の底部端面に第一スプライン内穴155が設置され、前記第二伝達筐体163に第二滑り台161がスライドに合わせて取り付けられ、前記第二滑り台161に第一電気ローラー154が固定的に取り付けられ、前記第一電気ローラー154の先端に前記第一スプライン内穴155と合わせて接続する第一スプライン軸157が動力が伝達可能なように合わせて設置され、前記第一電気ローラー154の底部に第二スプライン軸153が動力が伝達可能なように合わせて設置され、前記第一電気ローラー154の右側の前記第二滑り台161にねじ軸162がねじで合わせて取り付けられ、前記ねじ軸162の頂部拡張末端が前記第二伝達筐体163の内頂壁と回転可能に合わせて接続され、前記ねじ軸162の底部拡張末端に第二電気ローラー164が動力が伝達可能なように合わせて取り付けられ、前記第二電気ローラー164の外表面が第二伝達筐体163の内底壁に固定的に設置され、前記第二スプライン軸153の直下側の前記第二伝達筐体163の内底壁に第二回転軸151が回転可能に合わせて設置され、前記第二回転軸151の頂部端面に前記第二スプライン軸153と合わせて接続される第二スプライン内穴152が設置され、前記第二回転軸151の底部拡張末端が前記第一滑り台112の内壁体の第三伝達筐体122を通り抜けて、前記第三伝達筐体122が前記第一滑り台112の左右両側の端面を貫通し、前記第二回転軸151の底部拡張末端に第三角錐輪151が固定的に取り付けられ、前記第三角錐輪151に伝達装置が動力が伝達可能なように合わせて取り付けられる。
【００１３】
有益なことは前記伝達装置は前記第三伝達筐体122に回転可能に合わせて設置されて前記第三角錐輪151と相互に噛み合う第四角錐輪126を含み、前記第四角錐輪126の左右両側にそれぞれ第二ギア127が回転可能に合わせて設置されて、前記第二ギア127の後側にそれぞれ第三ギア123が回転可能に合わせて設置されて、左側の前記第三ギア123が左側の前記第一ラック114と相互に噛み合い、右側の前記第三ギア123に第四ギア121が相互に噛み合うように設置され、前記第四ギア121の右側が右側の前記第一ラック114と相互に噛み合い、これにより前記第一滑り台の昇降スライド作業を自動的に制御する。
【００１４】
有益なことは前記光電装置は左右両側の前記滑り軸111の頂部端面に固定的に取り付けられるヒンジアーム141と前記ヒンジアーム141の上側に設置される積合板142を含み、前記積合板142の底部端面が左側の前記ヒンジアーム141と固定的に接続され、前記積合板142の底部端面に左右に拡張しアリ溝145が設置され、前記アリ溝145にアリブロック144がスライドに合わせて取り付けられ、前記アリブロック144の底部端面が右側の前記ヒンジアーム141と固定的に接続され、前記積合板142の頂部端面に光電板143が固定的に取り付けられ、これにより光電板143の角度調整作業を実現する。
【００１５】
本発明の作業原理は、使用する時に、第二電気ローラー164を起動し第二滑り台161を連れて下にスライドし、第二スプライン軸153が完成に第二スプライン内穴152を通り抜けた後まで、第一電気ローラー154を起動し左側の第三ギア123と第四ギア121をそれぞれに回転させ、第一ラック114の作用を通じて、第一滑り台が上に昇って、つまり光電板143が上に昇って太陽光を吸収し、角度を調整する必要がある時、第二電気ローラー164を起動し第二滑り台161を連れて上にスライドし、第一スプライン軸157が完成に第一スプライン内穴155を通り抜けた後まで、第一電気ローラー154を起動し左右両側の滑り軸111を逆にスライドさせ、これにより光電板143の角度を調整する。
【００１６】
本領域の技術者は本発明の全体の意義と構想から離れないもとで、以上の実施例に各種の変型を行うことができ、それらは本発明の保護範囲の中にあり、本発明の保護方案は本発明の特許請求の範囲を基準とする。